(57)【特許請求の範囲】
【請求項１】
法面に膨脹させる以前のシート状の袋体群を敷設し、
敷設したシート状の袋体群の上面にコンクリート製の法枠を形成し、
その後に、法枠の枠間に露出した袋体内に、緑化用の材料を注入して行う、法面の緑化工法
【請求項２】
法面に膨脹させる以前のシート状の袋体群を敷設し、
敷設したシート状の袋体群の上面にコンクリートブロックを配置して法枠を形成し、その後に、法枠の枠間に露出した袋体内に、緑化用の材料を注入して行う、法面の緑化工法
【請求項３】
法面に膨脹させる以前のシート状の袋体群を敷設し、
敷設したシート状の袋体群の上面にコンクリート類を吹付けて法枠を形成し、
その後に、法枠の枠間に露出した袋体内に、緑化用の材料を注入して行う、法面の緑化工法
【請求項４】
法面に膨脹させる以前のシート状の袋体群を敷設し、
敷設したシート状の袋体群の上面に型枠を組み立てその内部にコンクリート類を打設して法枠を形成し、
その後に、法枠の枠間に露出した袋体内に、緑化用の材料を注入して行う、法面の緑化工法
【発明の詳細な説明】
【０００１】
【発明の属する技術分野】
本発明は、法面の緑化工法に関するものである。
【０００２】
【従来の技術】
近年は、自然環境の保護の観点からコンクリート法枠の枠間を緑化することが要求され、実施されている。
その工法として法面に法枠ａを構築し、その枠ａ間に露出した地山面に緑化用の袋ｂを設置する方法が採用されている。
この方法は、あらかじめ土、肥料、種子をつめた袋体ｂを法枠ａの間に投入する方法（図４）、あるいは枠ａ間に未注入のシート状の袋ｂを設置した後、袋ｂ内に土、肥料、種子などの緑化材ｃを注入する方法（図５）である。すると発芽した芽や根は袋ｂの目を押し広げて外部に向けて発育して安定した緑化が可能となる。
【０００３】
【本発明が解決しようとする課題】
しかし前記したような従来の法面の緑化工法にあっては、次のような問題点がある。
＜イ＞各枠ａ間に設置した袋体ｂは法枠ａとは独立したものである。そのために袋ｂ内の種子が発芽して根が着く以前に、法枠ａと袋ｂとの間から雨水が浸透して徐々に地山を浸食してしまう場合がある。
河川では地山の浸食を防止するために、事前に吸い出しマットを敷設する作業が必要となる。
＜ロ＞法枠ａと袋体ｂは分離しているから、寒冷時期に地山の霜柱が凍結溶解を繰り返すと、法枠ａと袋体ｂが独自の昇降を繰り返し、袋体ｂだけが法面から転落するような事故が発生する。
＜ハ＞袋体ｂの移動を防止するために、１袋ごとに多数本のピンｄを打ち込んで地山に縫い付けるような作業、あるいは法枠に固定する作業が必要となる。
そうした多量のピンｄの打ち込み作業が作業員の多大な負担となっている。
＜ニ＞法枠ａの施工と、袋体ｂの設置とは同時に進行することが困難であるために、工期が長くなりやすい。
【０００４】
本発明は上記したような従来の問題を解決するためになされたもので、迅速な施工が可能であり、かつ根が着く以前から安定して地山を押さえることができる法面の緑化工法を提供することを目的とする。
【０００５】
【課題を解決するための手段】
上記のような目的を達成するために、本発明の法面の緑化工法は、法面に膨脹させる以前のシート状の袋体群を敷設し、敷設したシート状の袋体群の上面にコンクリート製の法枠を形成し、その後に、法枠の枠間に露出した袋体内に、緑化用の材料を注入して行う、法面の緑化工法を特徴としたものである。
【０００６】
【本発明の実施の態様】
以下本発明の法面の緑化工法の実施例について説明する。
【０００７】
＜イ＞シート状袋体。
本発明の工法では、広い面積のシート状の袋体１を使用する。
これは２枚のシートの一部を線状に溶着、あるいは縫い合わせて多数の区域に分割したものである。
この線状の結合部１１によって区画された各区域が袋体１２を構成することになり、各袋体１２ごとに注入口を設ける。
このシート状袋体１は、法枠の数十区画分の広い面積のものを使用する。
このシート状袋体１は目の荒い材料で構成する。この目の寸法は、水の浸入は許容するが、土粒子の流出は不可能な程度のものを採用する。
結合部１１の位置が、後述するコンクリートブロック２などの法枠の位置と一致することになる。
【０００８】
＜ロ＞シート状袋体１の敷設。
上記した構成のシート状袋体１を法面に敷設する。
その場合にシート状袋体１は、膨脹させる以前の平面状態のまま敷設する。
そのために、例えば筒状に巻いてあるシート状袋体１を、法面の上端から徐々に撒き出して法面上に展開する。
シート状袋体１は広い面積を有するが、その上面には後述するように法枠を配置するから、特に従来のように多数本のピンで固定する必要はなく作業はきわめて容易である。
なお袋体１は、法枠のコンクリートブロック２間を複数に分割して独立した多数の袋部分を形成したタイプ、あるいは分割していないタイプのいずれでも使用することができる。
【０００９】
＜ハ＞法枠の構成。
法面に敷設した。膨脹させる以前のシート状の袋体１２の上面に、全面にわたって法枠を構成する。
法枠として、例えばコンクリ−トブロック２を設置する。
このコンクリ−トブロック２は長い柱状の部材であり、組み合わせることによって法枠が形成できる構造のものである。
法枠の構築方法として他の公知の方法も採用できる。
例えば金網型枠の間にコンクリートやモルタルを吹き付けて法枠を構成する方法である。その場合には金網などを平行に立てた型枠をシート状袋体１の上面に配置し、その型枠間にコンクリート類を吹き付けて構成する。
あるいは、シート状袋体１の上面に法枠用の型枠を組み立て、その型枠内部にコンクリートを打設して法枠を構成することもできる。
【００１０】
＜ニ＞緑化材の注入。
法枠の枠間には、シート状袋体１の袋体１２部分が露出している。各袋体部分には注入口を設けてあるから、この注入口から緑化用の材料３を注入する。
緑化材３は、種子、肥料、土などを一体化させた材料であり、ポンプの圧力によって法面の下の道路などから圧送することが可能である。
法枠のコンクリートブロック２間を複数に分割して独立した多数の袋部分を形成したタイプの場合には図２のような形状を呈し、分割していないタイプの場合には図３に示すような形状を呈する。
すべての法枠間に露出している袋体１２に緑化材３の注入を行って緑化の準備は完了する。
【００１１】
【本発明の効果】
本発明の法面の緑化工法は以上説明したようになるから次のような効果を得ることができる。
＜イ＞シート状袋体１によって地山の全面が被覆されており、従来のように分割されていない。したがって法枠と袋体１２との間隔から雨水が浸入して法面を徐々に崩壊するような作用が発生しない。
＜ロ＞特に河川の護岸に使用した場合には、従来のように袋体が分割されていると法枠と袋体との間隔から河川の水が繰り返し出入りし、その結果法面の土砂を吸い出して崩壊させてしまう。そのために従来は事前に吸い出しマットを敷設するという作業が必要であった。
しかし本発明の方法では、法面の全面が被覆されている。したがって河川の水位の上下によっても水が内部に浸入して地山の土砂を吸引するような現象は発生しない。
＜ハ＞植生の根が強固に地山に食い込む以前には、寒冷時期に凍上作用によって法枠が上下動する可能性がある。そのために法枠と緑化用の袋体が分離している従来の構造では法枠と袋体が別々に上下動して縁が切れてしまい、袋体が法面を転落するような現象が発生している。
しかし本発明の方法では、全面がシートで被覆してあり、全体が一体で上下動するから袋体１２だけが分離して転落するような事故は発生しない。
＜ニ＞袋体が法枠と独立している構造では各袋体ごとを数本のアンカーによって固定するという繁雑な作業を必要とした。
しかし本発明の方法では、全面が一体の連続したシート状袋体１によって被覆してあるから、多数本のアンカーを必要とせず法枠の重量で押さえることができる。したがって従来のような多数本のアンカー打込みという作業、法枠に袋体を固定する作業を省略することができ、工期を大幅に短縮することができる。
＜ホ＞従来の工法では全面の法枠が完全に完成した後に、あらかじめ土、肥料、種子を詰めた袋を枠内に投入して配置する作業、あるいは袋体を搬入して設置し、その後に注入作業を行う工程を採用していた。したがって複数の作業を重複して進めることはできなかった。
しかし本発明の方法であれば、最初に全面を被覆するシート状袋体１を敷設してしまうから、従来のような袋体の搬入、設置作業が不要であり、１区画の法枠が完成するごとに緑化材３を注入することが可能である。
このような重複作業を行うことができるので、工期を大幅に短縮することができる。
【図面の簡単な説明】
【図１】本発明の法面の緑化工法の実施例の説明図。
【図２】その断面図。
【図３】本発明の他の実施例の説明図。
【図４】従来の施工方法の一例の説明図。
【図５】従来の施工状態の断面図。
【図１】
0003807801.tif 000002
【図２】
0003807801.tif 000003
【図３】
0003807801.tif 000004
【図４】
0003807801.tif 000005
【図５】
0003807801.tif 000006